(57)【要約】【課題】自宅内に家具としてビーズクッションを置いていても、それがフィットネス用道具としても使用可能であることが来訪者には気付かれにくいフィットネス兼用のクッションを実現する。【解決手段】ビーズクッション１は、クッションとしての外形を成す布袋１Ｃと、布袋１Ｃの内部に中素材として含まれる多数の発泡ポリスチレンとを、有する。重り部２は、通常時には、ビーズクッション１の布袋１Ｃの頂部側布地部分１ＣＴＡ上に横たわって載置された状態にあり、運動時には斯かる状態から上方向に持ち上げ自在となる様に、同部２の両端部ＳＬ１，ＳＬ５は布袋１Ｃの頂部側布地部分１ＣＴＡに縫合されている。重り部２は、連なって縫合された４個の粒子袋ＳＢＡ，ＳＢＢ，ＳＢＣ，ＳＢＤより成り、各粒子袋は、重りとして、その内部に多数の樹脂粒子を含む。【選択図】図２
0003192616.tif 000002
【実用新案登録請求の範囲】
【請求項１】
クッションとしての外形を成す布袋と、前記布袋の内部に中素材として含まれる複数の発泡ポリスチレンとを、有するビーズクッションと、
前記ビーズクッションの前記布袋の一部上に横たわって載置された状態から上方向に持ち上げ自在に前記布袋の前記一部に縫合された両端部を有し、その内部に複数の樹脂粒子を重りとして含む少なくとも一つの粒子袋より成る重り部と
を備えたことを特徴とする、フィットネスクッション。
【請求項２】
請求項１に記載のフィットネスクッションであって、
前記重り部が前記ビーズクッションの前記布袋の前記一部上に横たわって載置されている場合には、
前記ビーズクッションの前記布袋の内の前記一部及び当該一部の周辺部、並びに、前記重り部は、脚を載せるための脚枕としての構造を成す
ことを特徴とする、フィットネスクッション。
【考案の詳細な説明】
【技術分野】
【０００１】
この考案は、クッションとしての家具に適用可能であるのみならず、自宅に於けるフィットネス用道具としても適用可能なフィットネスクッションに関する。
【背景技術】
【０００２】
健康志向の強まりにより、フィットネスクラブに通って、日々、有酸素運動等のフィットネス運動を行っている人も多い。しかし、フィットネスクラブに日々出かけて運動を行うのが面倒な面もあり、又、フィットネスクラブに通う時間が取れない場合もあるため、自宅内にフィットネス器具（例えば自転車のペダルを漕ぐ器具。）を備えて、自宅内で気軽にフィットネス運動を楽しむ人も多いところである。
【先行技術文献】
【特許文献】
【０００３】
【特許文献１】特開２０１４−１４７０６号公報
【特許文献２】特表２００９−５３００４４号公報
【考案の概要】
【考案が解決しようとする課題】
【０００４】
しかし、自宅内にフィットネス器具を置いてフィットネス運動を行う場合には、その様な器具を置く場所を自宅内に確保する必要性があり、又、フィットネス器具が自宅内の他のインテリア用品と調和しなくて見苦しい場合もある。しかも、一寸間の空いた時間帯を利用して気軽に自宅内に配備されたフィットネス器具を継続的に使用することが出来ない場合もある。更には、自宅内にそれなりに大掛かりなフィットネス器具を配備した場合には、自宅への来訪者に、自分が自宅内でフィットネス運動を行っていることを気付かれてしまい、それを嫌う人もいる。人によっては、他人に気付かれずに、空いた時間内に、こっそりとフィットネス運動を日々行ってスリムなボディーを得たいと望む人もいる。
【０００５】
この考案は、上記の問題点を踏まえて着想された技術的思想である。その主目的は、自宅の訪問者にそれがフィットネス用具であると気付かれることがなく、室内の周囲のインテリア用品とのマッチング性も良くてインテリア用品として溶け込んでおり、それでありながら、瞬時にフィットネス器具としての機能をも呈する、フィットネスクッションの構造を提案することにある。
【課題を解決するための手段】
【０００６】
本考案の主題に係るフィットネスクッションは、（１）クッションとしての外形を成す布袋と、前記布袋の内部に中素材として含まれる複数の発泡ポリスチレンとを有するビーズクッションと、（２）前記ビーズクッションの前記布袋の一部上に横たわって載置された状態から上方向に持ち上げ自在に前記布袋の前記一部に縫合された両端部を有し、その内部に複数の樹脂粒子を重りとして含む少なくとも一つの粒子袋より成る重り部とを、備えたことを特徴とする。
【考案の効果】
【０００７】
本考案の主題に係るフィットネスクッションによれば、重り部が持ち上げられずにビーズクッションの布袋の一部上に横たわって載置されている場合には、本フィットネスクッションは、自宅内の家具・インテリア用品の一つとして、ファッション性に富んだクッションとして機能し得る。他方、重り部が使用者の手又は足により持ち上げられた場合には、重力により、ビーズクッション内の発泡ポリスチレンは下部に移動して布袋の外形は変形し布袋は下方に垂れ下がった状態となり、且つ、重り部を成す粒子袋も手又は足からぶら下がった状態にて湾曲して当該使用者の手又は足の部分に力を印可することとなり、本フィットネスクッションは瞬時にフィットネス用道具として機能することになる。従って、本考案の主題により、使用者は、普段の生活に於いてはビーズクッションとして本フィットネスクッションを使用することが出来ると共に、重り部の持ち上げにより瞬時にフィットネスアイテムとして本フィットネスクッションを使用することが出来る。そのため、使用者は、例えばテレビ画面を見ている場合にテレビＣＭが放映されている合間の時間の様に、自宅内での生活の中で少しばかり手の空いた時間内に、手軽ないしは気軽に且つ簡単に、自宅内でフィットネスの運動を行うことが出来る。この場合、使用者は、本フィットネスクッションを２個利用して各フィットネスクッションを手に持って又は足で支えつつ、身体を回す運動又は体全体を使用した有酸素運動を自宅内で行うことが出来、その結果、一寸間の時間内での本フィットネスクッションを利用した運動により、手軽に且つ気軽にスリムなボディーを実現することが可能である。
【０００８】
しかも、通常時には、自宅内に載置された状態にある本フィットネスクッションは一つのクッションとして視覚的に認識され得るので、来訪者は使用者が自宅内で本フィットネスクッションを用いてフィットネスの運動を行っているとは思えない。そのため、来訪者に、使用者が実は本フィットネスクッションを用いて自宅内でフィットネスの運動を行っていることを気付かれないという利点がある。
【０００９】
しかも、本フィットネスクッションの布袋は発泡ポリスチレンより成るビーズクッションとして機能するので、当該布袋の手触り・触り心地も良く、重り部を持ち上げていない場合には、使用者の脚部を、重り部を含む本フィットネスクッションの布袋の部分に載せて使用者は休むことが出来る。即ち、左記の観点から、使用者は、本フィットネスクッションを、気持ちの良い脚枕として使用することも出来る。
【００１０】
以下、本考案の様々な具体化を、添付図面を基に、その効果・利点と共に、詳述する。
【図面の簡単な説明】
【００１１】
【図１】本考案の実施の形態１に係るフィットネスクッションに縫合される重り部の構成を模式的に示す平面図である。
【図２】本考案の実施の形態１に係るフィットネスクッションの全体構成を模式的に示す斜視図である。
【図３】本考案の実施の形態１に係るフィットネスクッションに於いて重り部を上方向へ持ち上げた状態を模式的に示す正面図である。
【図４】図１に示すフィットネスクッションの重り縫合部分に人の脚を載せたときに、フィットネスクッションが脚枕として機能する状態を模式的に示す斜視図である。
【図５】本考案の実施の形態１に係るフィットネスクッションを用いた運動例を模式的に示す図である。
【図６】本考案の実施の形態１に係るフィットネスクッションを用いた他の運動例を模式的に示す図である。
【考案を実施するための形態】
【００１２】
（実施の形態１）
＜フィットネスクッション１０の構成＞
図１は、本実施の形態に係るフィットネスクッション１０（図２参照。）の中核的構成要素を成す、重り部２の構成を模式的に示す平面図である。図１に於いて、各破線ないしは点は、後述する各粒子袋内に包含されている複数（多数）の樹脂粒子ＳＥの各々を示している。これらの樹脂粒子ＳＥの集合体は、重り部２がフィットネスクッション１０の「重り機能」を呈するために必須の「重り」乃至は「荷重」を担う。
【００１３】
図１に示される本例では、重り部２は、その長手方向（横方向）Ｄ１に沿って、順次に、端部が互いに縫合されて一列に配列されて成る４個の粒子袋ＳＢＡ，ＳＢＢ，ＳＢＣ，ＳＢＤより構成されている。ここで、各粒子袋は重り部２の「荷重部」を担う部分であるので、粒子袋の総数は本例の４個に限定される訳ではなく、一般的には「複数個」であると言えるが、原理的には粒子袋の数は「少なくとも１個」である。順次に記載すると、第１粒子袋ＳＢＡ及び第２粒子袋ＳＢＢは、長手方向Ｄ１に関して対向する各々の端部の第２縫い目ＳＬ２で以って、互いに縫合されている。又、第２粒子袋ＳＢＢ及び第３粒子袋ＳＢＣは、長手方向Ｄ１に関して対向する各々の端部の第３縫い目ＳＬ３で以って、互いに縫合されている。更に、第３粒子袋ＳＢＣ及び第４粒子袋ＳＢＤは、長手方向Ｄ１に関して対向する各々の端部の第４縫い目ＳＬ４で以って、互いに縫合されている。そして、図１の平面視に於いて、第１粒子袋ＳＢＡの左側端部及び第４粒子袋ＳＢＤの右側端部は、各々、第１縫い目ＳＬ１及び第５縫い目ＳＬ５によって、図２に於いて後述するビーズクッション１の布袋１Ｃの頂部側布地部分に縫合されている。この第１縫い目ＳＬ１及び第５縫い目ＳＬ５に於ける重り部２の両端部の縫合によって、重り部２は、全体的に一体化した状態にて、ビーズクッション１の布袋１Ｃに、上方向に持ち上げ可能な状態として縫い合わされている。そのため、重り部２とビーズクッション１の布袋１Ｃとの間に手又は足を挟んで重り部２をそのまま持ち上げると、重り部２を成す各粒子袋ＳＢＡ，ＳＢＢ，ＳＢＣ，ＳＢＤは全体的に一体化した状態で上方向に湾曲しながら持ち上がる。この持ち上がり状態に於いて、重り部２の長手方向Ｄ１に於ける両端部ＳＬ１，ＳＬ５の縫合によって、重り部２は、ビーズクッション１の布袋１Ｃの頂部側布地部分より外れることなく且つ同布地部分より制限を受けながら持ち上がり、湾曲状態に於いて、使用者の手又は足に荷重を印可する。
【００１４】
ここで、粒子袋ＳＢＡ，ＳＢＢ，ＳＢＣ，ＳＢＤの各々は、閉ざされた状態の袋の内部に、複数の（多数の）樹脂粒子（ＰＰ樹脂製の粒子。）を、「重り」として、含む。従って、これらの粒子袋ＳＢＡ，ＳＢＢ，ＳＢＣ，ＳＢＤは、本フィットネスクッションが呈するフィットネス運動の作用・効果を担う重要な部分である。しかも、各粒子袋ＳＢＡ，ＳＢＢ，ＳＢＣ，ＳＢＤがビーズクッション１の布袋１Ｃの頂部側布地部分に横たわって載置されている状態（後述の図２参照。）に於いては、これらの粒子袋は、僅かながらに突出した凸部を成して脚に対して僅かながらの心地良い力を作用する（マッサージ機能）。そのため、当該状態でのビーズクッション１の布袋１Ｃの頂部側布地部分は、心地良い感触を与える「脚枕」としての作用・効果を呈する部分でもある。
【００１５】
図２は、既に図１の上記の記載に於いても参照されているが、非持ち上げ状態下での本実施の形態に係るフィットネスクッション１０の全体構成を模式的に示す斜視図である。即ち、図２に示されている状態は、図１に例示された重り部２（各粒子袋ＳＢＡ，ＳＢＢ，ＳＢＣ，ＳＢＤ）の全体が、ビーズクッション１の外形を成し且つ閉ざされた状態の布袋１Ｃの頂部側布地部分１ＣＴＡ上に横たわって載置されている場合の状態に該当する。ここで、「布袋１Ｃの頂部側布地部分１ＣＴＡ」は、重り部２の両端部の縫合部分（縫い目）ＳＬ１，ＳＬ５を含み且つ横たわった状態での重り部２の裏面との接触部分である「ビーズクッションの布袋の一部」と、その頂部側の周辺部とを含むエリアである。斯かる「布袋１Ｃの頂部側布地部分１ＣＴＡ」のエリアは、布袋１Ｃの中に含まれる複数（多数）の発泡ポリスチレンの外力の作用による袋内での移動により、変動する。そして、「布袋１Ｃの頂部側布地部分１ＣＴＡ」の反対側部分（裏面部分）が、家屋の床等の載置面と接触する「布袋１Ｃの底部側布地部分１ＣＢＡ」である。
【００１６】
又、図２に於ける方向Ｄ１は、ビーズクッション１の長手方向ないしは横方向であり、方向Ｄ２はビーズクッション１の厚み方向ないしは上下方向である。又、参照符号１ＳＬは、ビーズクッション１の布袋１Ｃを成す複数の布地（例えば異色の布地より成る。）の縫い目部分を示す。
【００１７】
ビーズクッション１の布袋１Ｃは、一例として、互いに縫い目１ＳＬで縫合された複数の布地より構成されてクッションとしての外形を成しており、閉ざされた内部空間を有する。そして、布袋１Ｃの当該内部空間内には、複数（多数）の発泡ポリスチレンが、「中素材」として、含有されている。これらの発泡ポリスチレンは、既知の素材であり、発泡されたポリスチレンビーズと称されるものである。そして、それらの素材がクッション等の家具に用いられた物は、「ビーズクッション」と称される。布袋１Ｃの内部に含まれて印可される外力に応じて変形し得る布袋１Ｃの実質的な外形を呈する発泡ポリスチレンは、重り部２が布袋１Ｃの頂部側布地部分１ＣＴＡ上に全面的に横たわって載置される場合には、当該載置時に使用者の手より印可される押さえ力により長手方向Ｄ１に関して拡大し、上下方向Ｄ２に関して縮小する。その結果、ビーズクッション１の布袋１Ｃは、長手方向Ｄ１に沿って伸長し且つ上下方向Ｄ２に沿って縮小することとなる。そのときのビーズクッション１の布袋１Ｃの外形を示す図が、正に図２の斜視図であり、図２に於ける布袋１Ｃの縦断面図形は略長方形状となる。
【００１８】
尚、布袋１Ｃの表面生地は、例えば、ナイロンとポリウレタンとの合成より成る。
【００１９】
図３は、図２に示されるフィットネスクッション１０の状態より、重り部２を使用者の手又は足で上方向へ持ち上げたときのフィットネスクッション１０の状態を示す正面図である。尚、図示の便宜上、ビーズクッション１の布袋１Ｃはハッチング表示されている。この場合、重り部２は、ビーズクッション１の一部というよりも、フィットネス運動用の「ウェイト」部分として機能する。既述の通り、重り部２の両端部は布袋１Ｃの頂部側布地部分１ＣＴＡと縫合されており（縫合部はここでは縫い目ＳＬ１，ＳＬ５で示されている。）、このため、使用者による重り部２の上方向への持ち上げに応じて、布袋１Ｃ内の多数の発泡ポリスチレンは重力に応じて下方向へと移動して、布袋１Ｃは、重り部２から下方向へ垂れ下がった形状に変形する。その際の重り部２の上方向への持ち上げ量（寸法）は、持ち上げ前の横たわり状態にある重り部２の両端部の縫い目ＳＬ１，ＳＬ５間の寸法に依存する。斯かる持ち上がり状態に於いては、各粒子袋内の樹脂粒子の集合体は布袋１Ｃ内の発泡ポリスチレンの集合体よりも重いので、各粒子袋ＳＢＡ，ＳＢＢ，ＳＢＣ，ＳＢＤより成る重り部２は、使用者の手又は足に加わる荷重の発生源となる。
【００２０】
図４は、フィットネスクッション１０が、脚のリラックス状態を醸し出す「脚枕」として適用される場合を模式的に示す斜視図である。即ち、重り部２がビーズクッション１の布袋１Ｃの上記「一部」上に横たわって載置されている場合には、ビーズクッション１の布袋１Ｃの内の上記一部及び当該一部の周辺部より成る部分１ＣＴＡ、並びに、重り部２の表面は、人の脚を載せるための「脚枕」としての構造を呈する。図４に例示する様に、使用者が自己の両足の各脚を重り部２の粒子袋の表面を介して布袋１Ｃの頂部側布地部分１ＣＴＡ上に置いた場合には、各脚の内で布袋１Ｃの頂部側布地部分１ＣＴＡに置かれた部分は、発泡ポリスチレンの移動に応じて布袋１Ｃに食い込むこととなる。その反面、各脚の内で重り部２の該当粒子袋の表面上に置かれた部分は、当該粒子袋内の樹脂粒子の群に食い込みつつ、当該樹脂粒子群から程よい作用を受ける。これらの二重の作用により、使用者は、自己の両脚に対して、ビーズクッション１上に生じた小刻みな凹凸部より、程良いマッサージ感を受けてリラックスすることが可能となる。この様に、フィットネスクッション１０は、ビーズクッション及びフィットネス用道具として作用する他に、脚をリラックスさせる道具としても機能し得る。
【００２１】
＜フィットネスクッション１０を用いたフィットネス運動＞
【００２２】
以下では、図１〜図３に例示した構造を有するフィットネスクッション１０を用いることで、自宅の室内に於いて手軽に行えるフィットネス運動の２例について、簡潔に記載する。
【００２３】
Ａ．左右ねじり運動
図５は、使用者が２個のフィットネスクッション１０（右手用の第１フィットネスクッション１０Ａ、左手用の第２フィットネスクッション１０Ｂ）を用いて左右ねじり運動（フィットネス運動の一つに該当。）を行う場合を模式的に示している。
【００２４】
図５に示される様に、使用者は、右手で第１フィットネスクッション１０Ａの重り部２の略中央部を握り、他方の左手で第２フィットネスクッション１０Ｂの重り部２の略中央部を握って立ち上がり、その姿勢に於いて、両手を広げて肩まで上げる。この状態に於いては、第１及び第２フィットネスクッション１０Ａ，１０Ｂの各ビーズクッション１は重力によって下方へ垂れ下がり、その布袋１Ｃの頂部側布地部分１ＣＴＡは下方へ向けて湾曲し、各重り部２も手からぶら下がった状態で湾曲する。この場合に、各重り部２の粒子袋ＳＢＡ，ＳＢＢ，ＳＢＣ，ＳＢＤは、対応する使用者の腕に対して荷重を加える「重り」として機能する。当然の事ながら、重り部２が備える粒子袋の数が多いほどに、使用者の腕に付加される荷重は大きくなる。
【００２５】
この状態から、使用者は、左右ねじり運動をスタートさせ、下半身及び腰を動かさずに、腰から上の身体部分をゆっくり捻る動作を繰り返す。
【００２６】
以上の様に、使用者は、非運動時には室内のインテリアに溶け込んでそれ自身がインテリアの一つを成すクッションを用いて、自宅の室内で空いた時間を利用して気軽且つ手軽に左右ねじり運動を行って、簡単に身体を鍛えることが出来る。しかも、外部の訪問者は、第１及び第２フィットネスクッション１０Ａ，１０Ｂが室内にインテリア用品（家具）として置かれているのを見ても、それらが身体を鍛える用具であるとは思えず、説明を受けない限りは、その家の人が上記の様なフィットネス運動を行って日々身体を鍛えているとは感じ得ない。
【００２７】
Ｂ．脚上げ運動
図６は、使用者が２個のフィットネスクッション１０（右足用の第１フィットネスクッション１０Ａ、左足用の第２フィットネスクッション１０Ｂ）を用いて脚上げ運動（フィットネス運動の一つに該当。）を行う場合を模式的に示している。
【００２８】
図６に示される様に、使用者は、寝転んだ状態に於いて、右足を第１フィットネスクッション１０Ａの重り部２とビーズクッションの布袋１Ｃとの間に挿入して足首に第１フィットネスクッション１０Ａを係止させ、他方の左足を第２フィットネスクッション１０Ｂの重り部２とビーズクッションの布袋１Ｃとの間に挿入して足首に第２フィットネスクッション１０Ｂを係止させる。斯かる準備の下で、更に、使用者は、右足を曲げて第１フィットネスクッション１０Ａを下側のクッションとし、他方の左足を伸ばす。そして、図６の如く、使用者は、第２フィットネスクッション１０Ｂがその足首に係止されている左足をゆっくりと持ち上げて、高く持ち上げた状態を５秒程度保持する。その後、使用者は、左足を元の状態にゆっくりと下し、この脚上げ運動を数回繰り返す。更に、使用者は、右足の脚上げ運動を同様に行う。斯かるフィットネス運動によって、使用者は、外部からの訪問者には気付かれることなく、自体の室内で、空いた時間を見て、日々、気軽且つ手軽に身体を鍛えることが出来る。
【００２９】
上記の通り、本件脚上げ運動に関しても、外部の訪問者は、第１及び第２フィットネスクッション１０Ａ，１０Ｂが室内にインテリア用品（家具）として置かれているのを見ても、それらが身体を鍛える用具であるとは思えず、説明を受けない限りは、その家の人が上記の様なフィットネス運動を行って日々身体を鍛えているとは感じ得ない。
【００３０】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００３１】
本考案は、例えば、自宅に於けるフィットネス用道具（フィットネスアイテム）としても機能し得るクッションに適用して好適である。
【符号の説明】
【００３２】
１    ビーズクッション
１Ｃ  ビーズクッションの布袋
２    重り部
ＳＢＡ，ＳＢＢ，ＳＢＣ，ＳＢＤ  粒子袋
ＳＥ  樹脂粒子
ＳＬ１，ＳＬ５  両端部の縫い目
１ＣＴＡ  ビーズクッションの布袋の一部
１０  フィットネスクッション
【図１】
0003192616.tif 000003
【図２】
0003192616.tif 000004
【図３】
0003192616.tif 000005
【図４】
0003192616.tif 000006
【図５】
0003192616.tif 000007
【図６】
0003192616.tif 000008